(57)【要約】【課題】簡単な制御で改質温度を略一定に維持できる燃料電池用水素生成装置を提供するもので、従来の改質温度一定運転は制御が複雑であり、開発に当たって時間的および費用的な負担が大きかった。【解決手段】改質部７と、燃焼部１４と、原燃料供給部６とを備えた燃料電池用水素生成装置１であって、燃料電池用水素生成装置１の内部の温度および燃料電池用水素生成装置１を配置した空間の温度の少なくとも一方の温度を検出する温度検知部と、所望される運転動作に応じて予め設定された複数の原燃料供給パターンと、原燃料供給パターンを記憶する記憶部１９と、制御部２０と、を有し、制御部２０は、温度検知部で検出される温度に基づいて原燃料供給パターンを選択し、選択された原燃料供給パターンに基づいて原燃料供給部６に供給する原燃料を制御する。【選択図】図１
2010225499.tif 000002
【特許請求の範囲】
【請求項１】
改質部と、前記改質部を加熱する燃焼部と、前記改質部に燃料を供給する原燃料供給部とを備えた燃料電池用水素生成装置であって、
前記燃料電池用水素生成装置の内部の温度および前記燃料電池用水素生成装置を配置した空間の温度の少なくとも一方の温度を検出する温度検知部と、
所望される運転動作に応じて予め設定された複数の原燃料供給パターンと、
前記原燃料供給パターンを記憶する記憶部と、
制御部と、を有し、
前記制御部は、前記温度検知部で検出される温度に基づいて前記原燃料供給パターンを選択し、選択された前記原燃料供給パターンに基づいて前記原燃料供給部に供給する原燃料を制御する燃料電池用水素生成装置。
【請求項２】
起動時において、前記温度検知部で検出される温度が、前記燃料電池用水素生成装置の内部温度である請求項１に記載の燃料電池用水素生成装置。
【請求項３】
起動から所定時間経過後において、前記温度検知部で検出される温度が、前記燃料電池用水素生成装置を配置した空間の温度である請求項１または２に記載の燃料電池用水素生成装置。
【発明の詳細な説明】
【技術分野】
【０００１】
本発明は、炭化水素化合物原料と水を反応させて水素含有ガスを生成する燃料電池用水素生成装置に関し、特に改質部を加熱する燃焼部に供給する燃料の制御に関する。
【背景技術】
【０００２】
一般に、燃料電池からなる発電装置は、水素生成装置と燃料電池とを有し、水素生成装置は燃料電池に供給する燃料ガスを生成する。
【０００３】
具体的に説明すると、まず、水素生成装置は、改質部によって炭化水素化合物からなる原燃料と水を水蒸気改質反応により水素・二酸化炭素・一酸化炭素、および未反応のメタンと水蒸気を含む改質ガスを生成する。このとき、原燃料としては、都市ガスやＬＰＧ、灯油などが用いられる。
【０００４】
つぎに、変成部や選択酸化部などの一酸化炭素低減部によって、燃料電池に有害となる一酸化炭素を除去して燃料ガスを生成する。
【０００５】
そして、生成された燃料ガスを用いて燃料電池に供給して、発電を行う。
【０００６】
このとき、水素生成装置は、燃料電池の水素利用率がおよそ７０％から８５％程度以下となる量の水素を生成する。この理由は、水素利用率が高すぎると、燃料電池内でフラッディングと呼ばれる凝縮水による流路閉塞が発生するためである。
【０００７】
また、水素生成装置が同じ場合、改質部での反応転化率は、供給される原燃料と水の供給量および改質温度で決まる。そのため、必要量の水を生成するために、改質温度を略一定の温度に制御して運転されている（例えば、特許文献１参照）。
【０００８】
なお、改質温度の適正温度は水素生成量、すなわち所望される発電電力によって異なる。
【特許文献１】特開２００５−２１９９９１号公報
【発明の開示】
【発明が解決しようとする課題】
【０００９】
しかしながら、上記従来の構成では、改質温度を常時、略一定に維持するには高度な制御を必要とし、制御の最適化が開発の時間的および費用的に大きな負担になっているという課題があった。
【００１０】
本発明は、上記従来の課題を解決するもので、簡単な制御で改質温度を略一定に維持できる燃料電池用水素生成装置を提供することを目的とする。
【課題を解決するための手段】
【００１１】
上記の従来の課題を解決するために、本発明の燃料電池用水素生成装置は、改質部と、改質部を加熱する燃焼部と、改質部に燃料を供給する原燃料供給部とを備えた燃料電池用水素生成装置であって、燃料電池用水素生成装置の内部の温度および燃料電池用水素生成装置を配置した空間の温度の少なくとも一方の温度を検出する温度検知部と、所望される運転動作に応じて予め設定された複数の原燃料供給パターンと、原燃料供給パターンを記憶する記憶部と、制御部と、を有し、制御部は、温度検知部で検出される温度に基づいて原燃料供給パターンを選択し、選択された原燃料供給パターンに基づいて原燃料供給部に
供給する原燃料を制御する。
【００１２】
この構成により、簡単な制御で改質温度をおよそ一定の範囲内に納めることができる。
【発明の効果】
【００１３】
本発明の水素生成装置によれば、簡単な制御で、改質温度をおよそ一定の範囲内に維持できる。そのため、燃料電池発電装置の開発にかかる時間および費用を低減できる。
【発明を実施するための最良の形態】
【００１４】
第１の発明は、改質部と、改質部を加熱する燃焼部と、改質部に燃料を供給する原燃料供給部とを備えた燃料電池用水素生成装置であって、燃料電池用水素生成装置の内部の温度および燃料電池用水素生成装置を配置した空間の温度の少なくとも一方の温度を検出する温度検知部と、所望される運転動作に応じて予め設定された複数の原燃料供給パターンと、原燃料供給パターンを記憶する記憶部と、制御部と、を有し、制御部は、温度検知部で検出される温度に基づいて原燃料供給パターンを選択し、選択された原燃料供給パターンに基づいて原燃料供給部に供給する原燃料を制御する燃料電池用水素生成装置である。この構成により、簡単な制御で改質温度をおよそ一定の範囲内に維持することができる。
【００１５】
第２の発明は、第１の発明において、起動時において、温度検知部で検出される温度が、燃料電池用水素生成装置の内部温度である。これにより、起動時の改質温度およそ一定の範囲内に維持することができる。
【００１６】
第３の発明は、第１または第２の発明において、起動から所定時間経過後において、温度検知部で検出される温度が、燃料電池用水素生成装置を配置した空間の温度である。これにより、起動後の改質温度をおよそ一定の範囲内に維持することができる。
【００１７】
以下、本発明の実施の形態について、図面を参照しながら説明する。なお、この実施の形態によって本発明が限定されるものではない。
【００１８】
（実施の形態１）
以下に、本発明の実施の形態１における燃料電池用水素生成装置について、図１と図２を用いて詳細に説明する。なお、以降では、燃料電池用水素生成装置を、水素生成装置と略記して説明する。
【００１９】
本実施の形態は、一定の発電出力状態での燃料電池用水素生成装置の運転制御に関するものである。
【００２０】
図１は、本発明の実施の形態１における水素生成装置１を納めた燃料電池発電装置２の概略構成図である。
【００２１】
図１に示すように、燃料電池発電装置２は、水素生成装置１と燃料電池１１とから、少なくとも構成されている。このとき、水素生成装置１には、原燃料供給配管４から原燃料となる都市ガスが供給される。そして、供給される都市ガスは、脱硫器５を通過することによって脱硫され、原燃料供給部６によって供給流量が調節されて水素生成装置１へ供給される。
【００２２】
さらに、水素生成装置１は、都市ガスと、別途供給される水蒸気とが、改質部７内に充填された触媒と水蒸気改質反応することにより、改質ガスを生成する。そして、生成された改質ガスは、一酸化炭素低減部８で一酸化炭素が低減され、生成ガス配管９と弁１０を介して燃料電池１１へ供給される。
【００２３】
また、燃料電池１１から排出された未使用水素を含んだオフガスは、弁１２と配管１３を通って水素生成装置１の燃焼部１４へ供給されて、燃焼する。このオフガスの燃焼が、改質部７の加熱源となる。なお、弁１５は、水素生成装置１の起動時に開いて、配管１６を通して、水素生成装置１の出口ガスを燃焼部１４へ供給するためのものである。そして、弁１５は、改質部７が燃料電池１１で必要な水素を生成するに十分な温度に到達するまで開かれる。その後、十分な温度に達すると、弁１５は閉じられ、同時に、弁１０と弁１２が開かれる。
【００２４】
そして、水素生成装置１に供給される都市ガスの流量は、原燃料供給部６によって調節される。このとき、水素生成装置１は、その内部に設置された内部温度センサ１７と、外装３内の水素生成装置１を配置した周囲の空間に設置された外部温度センサ１８および所望される運転動作に応じて予め設定された複数の原燃料供給パターンを記憶した記憶部１９を備えている。そして、制御部２０は、内部温度センサ１７で検出された温度に基づいて、記憶部１９に記憶された原燃料供給パターンを選択し、原燃料供給部６に都市ガスの流量指令を行って制御する。
【００２５】
以下に、水素生成装置１に供給される都市ガスの流量の制御について、具体的に説明する。
【００２６】
はじめに、燃焼部１４で燃焼するオフガス中には、燃料電池１１で未使用の水素と改質部７で未反応のメタンが燃焼成分として含まれている。なお、オフガス中の水素量は、燃料電池に供給される改質ガス中の水素量から燃料電池１１が発電に消費した水素量を除いた量である。
【００２７】
そして、燃料電池１１に供給される改質ガス中の水素量は、水素生成装置１への原燃料と水の供給量および改質部７の温度によって決まる。一方、燃料電池１１が発電で消費する水素量は、発電量によって決まる。そのため、オフガス中の水素量は、水素生成装置１への供給量と改質温度によって決まる。同様に、オフガス中のメタンの量も供給量と改質温度によって決まる。したがって、燃焼部１４で燃焼するオフガスによる発熱量は、原燃料、水の供給量と改質部７の改質温度によって決まる。
【００２８】
一方、水素生成装置１は、燃焼部１４で燃焼するオフガスの燃焼発熱量によって熱的に自立しているので、発電負荷に応じた原燃料量と水量を供給すれば、水素生成装置１の改質温度は一義的に決定される。なお、熱的に自立しているとは、燃焼部１４の燃焼熱以外の加熱源を必要としていないという意味である。そのため、例えば発電負荷一定の条件で運転する場合、原燃料の供給量が少なければ、オフガスの燃焼発熱量が小さくなるため、水素生成装置１は改質温度が低い状態で熱的に自立する。このとき、燃料電池１１の水素利用率は高くなる。逆に、原燃料の供給量が多くなれば、オフガスの燃焼発熱量が大きくなるため、水素生成装置１は改質温度が高い状態で熱的に自立する。このとき、燃料電池１１の水素利用率は低くなる。
【００２９】
上述したように、通常、燃料電池１１は、水素利用率がおよそ７０％から８５％程度以下の状態で運転される。このとき、水素利用率が高くなると、燃料電池発電装置の発電効率は向上するが、燃料電池１１のフラッディングの発生により発電装置の運転が停止する危険性が高くなる。一方、水素利用率が低くなると、フラッディングなどの問題は生じないが、燃料電池発電装置の発電効率が低下する。つまり、水素利用率が上記の限界値以下であれば、燃料電池発電装置の運転を行うことができる。
【００３０】
上述のように、水素利用率、転化率および改質温度は、原燃料供給量によって決まる。
そのため、水素利用率が上記の限界値以上とならなければ、原燃料供給量、すなわち改質温度が変動しても燃料電池発電装置を運転することが可能となる。
【００３１】
しかし、上記運転動作は、水素生成装置１の放熱量が一定の場合に成り立つものである。水素生成装置は熱的に自立しているので、発熱量と吸熱量の熱収支はバランスしている。ここで、発熱量は、燃料の燃料発熱量と一酸化炭素低減部での反応による発熱量である。また、吸熱量は、水の蒸発熱と改質反応に必要な反応熱、および改質ガスと燃焼排ガスの持ち出し熱、および水素生成装置１表面からその周囲雰囲気への放熱量である。
【００３２】
このとき、放熱量以外は水素生成装置１の構成によって決まるが、放熱量は水素生成装置１の表面温度とそれが配置された周囲の空間温度に依存するため季節によって変動する。例えば、寒冷地域で運転する場合、放熱量が大きくなるので、改質温度が低下し燃料利用率が高くなる。そのため、寒冷地域で運転する場合は、原燃料の供給量を多くして、オフガスの燃料発熱量を高め、改質温度の低下を抑える必要がある。
【００３３】
つまり、外装３内の水素生成装置１の周囲温度に応じて、原燃料の供給量を補正すれば、改質温度を正確に制御しなくても、フラッディングなどが発生しない程度に改質温度を維持することができる。
【００３４】
そこで、本実施の形態では、水素生成装置の周囲の温度に対して、所望される発電出力ごとに原燃料供給パターンを予め設定して記憶部に記憶させ、周囲の温度に応じて原燃料供給パターンを選択して制御部で制御するものである。
【００３５】
以下に、上記原燃料供給パターンについて、図２を用いて説明する。
【００３６】
図２は、本発明の実施の形態１における水素生成装置の改質部に供給される原燃料供給パターンを説明する図である。なお、図２は、定負荷時の周囲温度に応じて補正した原燃料供給パターンの一例を示している。
【００３７】
そして、図２は、水素生成装置１の最大発電出力（９００Ｗ）、最小発電出力（３００Ｗ）および中間発電出力（６００Ｗ）場合において、水素生成装置の周囲温度に対する適正な原燃料供給量を図示している。
【００３８】
つまり、発電出力と周囲の温度に対して、図２から求められる流量の原燃料を供給すれば、少なくともフラッディングを起こさず、ほぼ適正な改質温度で水素生成装置を運転することができる。
【００３９】
そして、上記原燃料供給パターンは、図１に示す記憶部１９に記憶され、外部温度センサ１８で測定された周囲温度に基づいて制御部２０で補正した原燃料供給パターンの指令が原燃料供給部６へ送られて、原燃料供給量を制御する。
【００４０】
なお、図２には、３つの発電出力に対する原燃料供給量しか図示していないが、これに限られない。例えば、より詳細な発電出力に対して原燃料供給パターンを予め設定して記憶部１９に記憶して、それに基づいて制御してもよい。これにより、制御精度を高めることができる。また、制御部２０で、所望する発電出力に対する原燃料供給量を、予め記憶した原燃料供給パターンから内挿して算出して制御してもよい。これにより、原燃料供給パターンを詳細に求める必要がなく、開発時間の短縮や開発コストの低減が図れる。
【００４１】
本実施の形態によれば、従来のように改質温度をほぼ一定に維持せず、外乱などにより改質温度が常時変動したり最適な温度から多少ずれた条件でも、水素利用率を満足して、
燃料電池水素生成装置を安定に運転することができる。その結果、非常に簡単な制御により改質温度を維持できるので、制御の開発に要する時間および費用を大幅に低減できる。
【００４２】
（実施の形態２）
以下に、本発明の実施の形態２における燃料電池用水素生成装置について、図３を用いて詳細に説明する。
【００４３】
すなわち、図３に示すように、本実施の形態の燃料電池用水素生成装置は、起動時の原燃料供給量を制御する点で、実施の形態１とは異なる。他の構成は、実施の形態１と同様であるので、図１を参照しながら説明する。
【００４４】
つまり、本実施の形態では、記憶部１９に、起動時の原燃料供給パターンを記憶させて制御するものである。
【００４５】
以下に、本実施の形態の原燃料供給パターンについて、図３を用いて説明する。
【００４６】
図３（ａ）は本発明の実施の形態２における水素生成装置の改質部に供給される原燃料供給パターンを説明する特性図、図３（ｂ）は本発明の実施の形態２における水素生成装置の改質温度の温度変化を説明する特性図である。なお、図３（ａ）は、水素生成装置１の周囲温度がほぼ室温の場合の、各発電出力に対する原燃料供給パターンを示している。また、図３（ｂ）の実線は過剰な原燃料を供給した場合の改質温度の変化を示し、破線は、出力上昇部において、定常部のＡの量に達した時点から原燃料供給量をＡの一定値とした場合の改質温度の変化を示している。
【００４７】
そして、図３（ａ）の原燃料供給パターンにしたがって、起動開始と同時に原燃料が燃焼部に供給される。
【００４８】
このとき、まず、起動開始時において、図１に示す弁１５は開き、弁１０と弁１２は閉じられている。そして、水素生成装置１に供給された原燃料は全て燃焼部１４へ送られて燃焼し、改質部７および一酸化炭素低減部８を加熱する。ここで、改質部７および一酸化炭素低減部８が反応に十分な温度まで上昇する期間が図３（ａ）の余熱部の期間に相当する。
【００４９】
その後、図１に示す弁１０と弁１２を開くとともに、弁１５を閉じて、燃料電池１１へ水素を供給する。このとき、燃料電池１１から排出されるオフガスを燃料として燃焼部１４での燃焼が継続される。
【００５０】
さらに、その後は、原燃料供給パターンの出力上昇部にしたがって、所望の発電出力に向かって原燃料供給量を増加させる。
【００５１】
以下に、所望される発電出力が９００Ｗの場合を例について説明する。
【００５２】
通常、発電出力９００Ｗを維持する定常状態において、改質温度を適正な温度に維持するのに必要な原燃料の供給量は、図３（ａ）の定常部におけるＡの量である。
【００５３】
しかし、本実施の形態では、まず、原燃料供給パターンの出力上昇部の最後において、定常部のＡの量以上の所定量の原燃料を供給する。そして、原燃料供給パターンの出力上昇部に続く原燃料過剰部において、例えば、定常部のＡの量へ向かって、３段階にわたって原燃料の供給量を減少させる。
【００５４】
なお、起動後に、定常部のＡの量よりも過剰な原燃料を供給する理由は、図３（ｂ）の実線で示すように、改質温度を早く所定温度まで上昇させるためである。つまり、図３（ｂ）の波線で示す、原燃料を定常部のＡの量で供給する場合、改質温度は徐々にしか上昇せず、改質温度が適正な温度のＢまで上昇するには長時間を要する。そのため、その期間に生成される水素量が少ないので、燃料電池１１は水素利用率が高い状態で持続される。この状態はフラッディングの発生する危険性があり望ましくない。
【００５５】
そこで、本実施の形態では、原燃料供給パターンに原燃料過剰部を設け、図３（ｂ）に示すように改質温度が一旦Ｃのオーバーシュートぎみになるまで過剰な原燃料を供給する。これにより、改質温度を適正な温度まで短時間で到達させる。
【００５６】
なお、上記では、水素生成装置１の周囲温度がほぼ室温の場合を例に説明したが、これに限られない。例えば、原燃料供給パターンに対して、起動開始前の水素生成装置１内の温度を内部温度センサ１７で検出して、その温度に基づいて原燃料供給量の補正を行うことが好ましい。このとき、内部温度センサ１７の設置位置は、水素生成装置１の改質ガスが流れる流路内であればどこに設けてもよい。この理由は、水素生成装置１の運転中においては、改質部のように高温部や一酸化炭素低減部のように低温部が存在するが、運転を停止するとそれらの温度は急速に均一化される。しかし、運転の停止から、短時間で運転を再開する場合、水素生成装置が外気の温度まで低下しないので、内部温度センサ１７で水素生成装置の温度を検出して、原燃料供給パターンを補正することが好ましいからである。
【００５７】
以下に、水素生成装置の温度に基づいて、原燃料供給量を補正する方法について、図４を用いて説明する。
【００５８】
図４は、水素生成装置の温度が異なる場合の原燃料供給量を補正する原燃料供給パターンを説明する特性図である。
【００５９】
ここで、図４は、内部温度センサ１７で検出した起動開始前の水素生成装置１内の温度が、室温の場合と、高温の場合と、低温の場合を例に示している。つまり、図４の破線で示す、高温時の場合とは、例えば夏場などの周囲温度が高い場合と、水素生成装置１の運転が停止した後の十分に冷え切っていない場合である。そして、この場合、図４の破線に示すように、余熱部と原燃料過剰部の原燃料供給量が室温の場合に比べて少なくなるように原燃料供給パターンを設定して制御する。
【００６０】
一方、図４の１点鎖線で示す、寒冷地や冬場などの低温時においては、余熱部と原燃料過剰部の原燃料供給量が多くなるように原燃料供給パターンを設定して制御する。
【００６１】
このとき、制御部２０は、上記温度状況に応じて、原燃料の流量を補正した指令値として原燃料供給部６へ送り、供給量を制御する。
【００６２】
本実施の形態によれば、従来のように改質温度をほぼ一定に維持せず、外乱などにより改質温度が常時変動したり最適な温度から多少ずれた条件でも、水素利用率を満足して、燃料電池水素生成装置を安定に運転することができる。また、水素生成装置自体の温度に応じて、運転開始時の原燃料供給パターンを設定することにより、改質温度を比較的短時間で適正な温度まで上昇させることができる。その結果、非常に簡単な制御により改質温度を維持できるので、制御の開発に要する時間および費用を大幅に低減できる。
【００６３】
なお、上記各実施の形態では、燃料電池用水素生成装置が、定負荷時と起動時に分けて説明したが、これに限られない。通常、燃料電池用水素生成装置は、起動から定負荷時に
移行しながら、運転される。
【００６４】
そこで、以下に、燃料電池用水素生成装置の起動から定負荷時に移行して運転する場合の運転動作の流れを、図５を用いて説明する。
【００６５】
図５は、本発明の実施の形態における起動から定負荷時の通常運転までの運転動作を説明するフローチャートである。
【００６６】
図５に示すフローチャートは、ステップＳ０１からステップＳ０６の起動運転と、ステップＳ０７以降の通常運転から構成されている。
【００６７】
まず、起動運転においては、要求に応じてされる発電出力を決定する（ステップＳ０１）。その後、水素生成装置の温度を、内部温度センサで検出する（ステップＳ０２）。これは、例えば運転が停止した後、水素生成装置内の温度が高温に維持された状態から起動を開始する場合を考慮したものである。つまり、外部の温度で制御すると、水素生成装置の内部温度との差により制御性が低下するためである。すなわち、起動運転は、水素生成装置を水素を生成する温度まで昇温するものであるから、起動時に水素生成装置内が高温であれば加熱量を少なくできるためである。
【００６８】
つぎに、予め記憶されている起動時の原燃料供給パターンから、要求された発電出力に対応する原燃料供給パターンを記憶部から呼び出す（ステップＳ０３）。
【００６９】
つぎに、検出した水素生成装置の温度に基づいて、原燃料供給パターンを補正する（ステップＳ０４）。
【００７０】
つぎに、補正した原燃料供給パターンに基づいて原燃料を燃焼部に供給し（ステップＳ０５）、着火して起動運転を開始する（ステップＳ０６）。
【００７１】
つぎに、起動開始から、予め決められた所定時間が経過したか否かを判断する（ステップＳ０７）。このとき、予め決められた所定時間は、例えば１〜２時間程度である。これにより、図３に示す定常部に水素生成装置の温度が到達する。そして、所定時間の経過を判断した後（ステップＳ０７のＹｅｓ）、通常運転に移行する。
【００７２】
つぎに、通常運転では制御に用いる温度検知部を、水素生成装置の配置された空間の温度を検出する外部温度センサに切り替えて、周囲の温度を測定する（ステップＳ０８）。これは、通常運転では、改質部の温度が水素生成装置から周囲の空間への放熱量によって変動するためである。
【００７３】
つぎに、予め記憶されている通常運転時の原燃料供給パターンから、要求された発電出力に対応する原燃料供給パターンを記憶部から呼び出す（ステップＳ０９）。
【００７４】
つぎに、検出された水素生成装置の周囲の温度に基づいて、原燃料供給パターンを補正する（ステップＳ１０）。
【００７５】
つぎに、補正した原燃料供給パターンに基づいて原燃料を燃焼部に供給して、定常負荷運転を行う（ステップＳ１１）。
【００７６】
上記動作により、起動運転から通常運転に至るまでを連続して、簡単の構成で制御して運転することができる。
【産業上の利用可能性】
【００７７】
本発明の燃料電池用水素生成装置は、簡単な制御で改質温度をほぼ適正な温度になるように制御できるため、ガス発電や燃料電池を用いた発電装置などの技術分野において有用である。
【図面の簡単な説明】
【００７８】
【図１】図１は本発明の実施の形態１における燃料電池用水素生成装置を納めた燃料電池発電装置の概略構成図
【図２】本発明の実施の形態１における燃料電池用水素生成装置の改質部に供給される原燃料供給パターンを説明する特性図
【図３】（ａ）本発明の実施の形態２における燃料電池用水素生成装置の改質部に供給される原燃料供給パターンを説明する特性図（ｂ）本発明の実施の形態２における燃料電池用水素生成装置の改質温度の温度変化を説明する特性図
【図４】本発明の実施の形態２における燃料電池用水素生成装置の温度が異なる場合の原燃料供給量を補正する原燃料供給パターンを説明する特性図
【図５】本発明の実施の形態における起動から定負荷時の運転動作を説明するフローチャート
【符号の説明】
【００７９】
１  水素生成装置
２  燃料電池発電装置
３  外装
４  原燃料供給配管
５  脱硫器
６  原燃料供給部
７  改質部
８  一酸化炭素低減部
９，１３，１６  配管
１０，１２，１５  弁
１１  燃料電池
１４  燃焼部
１７  内部温度センサ
１８  外部温度センサ
１９  記憶部
２０  制御部
【図１】
2010225499.tif 000003
【図２】
2010225499.tif 000004
【図３】
2010225499.tif 000005
【図４】
2010225499.tif 000006
【図５】
2010225499.tif 000007